(57)【要約】【課題】ＣＴ撮影の前段階で測定された基準Ｘ線減弱に基づいて対象の直交方向Ｘ線減弱を算出する、特に簡単な、とりわけ時間節約可能な、同時に正確な対象の直交方向Ｘ線減弱の算出方法を提供する。【解決手段】コンピュータ断層撮影装置（１）の対象テーブル（６）上に横たえられた対象（１３）の直交方向Ｘ線減弱（Ａlat）を、基準投影方向（Ｐ0）に沿って測定された基準Ｘ線減弱（Ａap）に基づいて算出する対象の直交方向Ｘ線減弱の算出方法において、コンピュータ断層撮影装置（１）の回転軸線（１２）に対する対象（１３）の垂直方向の位置決めが対象テーブル（６）のテーブル高さ（ｈt）の検出によって考慮される。【選択図】図２
2006312047.tif 000002
【特許請求の範囲】
【請求項１】
コンピュータ断層撮影装置（１）の対象テーブル（６）上に横たえられた対象（１３）の直交方向Ｘ線減弱（Ａlat）を、基準投影方向（Ｐ0）に沿って測定された基準Ｘ線減弱（Ａap）に基づいて算出する対象の直交方向Ｘ線減弱の算出方法において、コンピュータ断層撮影装置（１）の回転軸線（１２）に対する対象（１３）の垂直方向の位置決めが対象テーブル（６）のテーブル高さ（ｈt）の検出によって考慮されることを特徴とする対象の直交方向Ｘ線減弱の算出方法。
【請求項２】
基準投影方向（Ｐ0）における対象（１３）の影投射（ｂP”）と基準Ｘ線減弱（Ａap）とに基づいてコンピュータ断層撮影装置（１）の回転軸線（１２）に対する対象（１３）の中心位置決めの前提の下に算出された直交方向Ｘ線減弱（Ａlat’）が入力量として利用され、この直交方向Ｘ線減弱（Ａlat’）から、テーブル高さ（ｈt）を考慮して、補正された直交方向Ｘ線減弱（Ａlat）が導き出されることを特徴とする請求項１記載の方法。
【請求項３】
テーブル高さ（ｈt）として対象テーブル（６）と回転軸線（１２）との間の距離が求められることを特徴とする請求項１又は２記載の方法。
【請求項４】
対象（１３）の垂直方向の位置決めが、テーブル高さ（ｈt）と、基準Ｘ線減弱（Ａap）から決定された基準投影方向への対象厚さ（ｄ0）とから決定されることを特徴とする請求項１乃至３の１つに記載の方法。
【請求項５】
補正された直交方向Ｘ線減弱（Ａlat）が次の式に従って求められることを特徴とする請求項２乃至４の１つに記載の方法。
【数１】
2006312047.tif 000012
但し、
Ａlatは算出すべき補正された直交方向Ｘ線減弱、
Ａlat’は対象（１３）の中心位置決めの前提の下に算出した直交方向Ｘ線減弱、
ｒfは回転軸線（１２）に関するコンピュータ断層撮影装置（１）のＸ線撮影ユニットの焦点軌道半径、
ｈtはテーブル高さの尺度としての回転軸線（１２）に対する対象テーブル（６）の距離、
ｄ0＝μ-1ｌｏｇ（Ａap）は基準投影方向Ｐ0への対象厚さ、
μは予め与えられた平均的な減弱係数、
Ａapは測定された基準Ｘ線減弱。
【請求項６】
請求項１乃至５の１つに記載の方法を実施するように構成されていることを特徴とするコンピュータ断層撮影装置の補正モジュール。
【請求項７】
回転軸線（１２）の周りを回転可能な撮影ユニット（２）と、回転軸線（１２）に対してある距離（ｈt）に位置決めされた対象テーブル（６）と、請求項１乃至５の１つに記載の方法を実施するように構成されている補正モジュール（１７）とを備えていることを特徴とするコンピュータ断層撮影装置。
【発明の詳細な説明】
【技術分野】
【０００１】
本発明は、コンピュータ断層撮影の前段階で測定された基準Ｘ線減弱に基づいて対象の直交方向Ｘ線減弱を算出する対象の直交Ｘ線減弱の算出方法、コンピュータ断層撮影装置およびその補正モジュールに関する。
【背景技術】
【０００２】
特に医療技術のコンピュータ断層撮影装置は一般的にＸ線放射器とこれに対向配置されたＸ線検出器とを備えたＸ線撮影ユニットを有する。Ｘ線撮影ユニットは回転軸線の周りを回転可能に支持されているので、Ｘ線撮影ユニットの回転のもとに種々の投影方向で、回転軸線に対してほぼ中心に配置された対象のＸ線投影画像（ラジオグラム）を撮影することができる。これらのＸ線投影画像から数値による逆投影法によって対象の１つ又は複数の断層の画像（トモグラム）が作成される。医療用コンピュータ断層撮影装置において検査すべき対象は患者の身体範囲である。
【０００３】
Ｘ線撮影ユニットのビーム通路内に対象、特に患者を横たえるために、コンピュータ断層撮影装置は一般に高さが調整可能な対象テーブルを有する。
【０００４】
コンピュータ断層撮影により検査すべき患者身体範囲は、一般に、種々の投影方向について異なる強さのＸ線減弱（以下において、単に減弱とも呼ぶ。）を生じさせる。現代のコンピュータ断層撮影装置（ＣＴ）はしばしば自動線量制御装置を装備している。自動線量制御装置は、Ｘ線線量が特に少ない場合にできるだけ良好な画質が得られるように、Ｘ線強度を投影方向に依存してその都度の減弱の大きさにマッチングさせる。自動線量制御装置のパラメータ化のために、古典的には、互いに直交する２つの基準投影方向、特に前後方向（ａｐｅｒｉｏｒ−ｐｏｓｔｅｒｉｏｒ，ａｐ）および横方向（ｌａｔｅｒａｌ）における減弱が、例えば本来の断層撮影の前に撮影された２つの概観ラジオグラムに基づいて測定される。前後方向減弱および横方向減弱の測定値は基準値として自動線量制御装置に導かれる。自動線量制御装置は、これらの基準値に基づいてＸ線強度をＣＴ撮影中に投影方向に依存してマッチングさせる。前後方向減弱および横方向減弱は、特に軸線方向減弱プロフィールの形で、すなわち軸線方向身体位置の関数としてデータ収集され、体軸方向における減弱の相違を考慮するために自動線量制御装置に導かれる。
【０００５】
医療ＣＴ撮影に関係した作業経過を加速するために、代替として、１つの投影方向のみ、特に前後投影方向のみにおいて減弱の基準測定が実施され、これに対して直交方向の減弱、つまり特に、この前後投影方向に対して垂直な横方向減弱はＸ線検出器への対象の影投射に基づいて算出される。しかし、この種の方法は、従来どおりの方法では、対象が投影方向において回転軸線に対して正確に中心に位置決めされている場合にのみ、直交方向の正しい算出をもたらし、それによりＸ線線量の正確な調整を生じる。しかし、回転軸線に対する対象の正確な位置決めは、常に可能ではなく、特に、同時に軸線方向の体長の全体にわたって可能でない。これに対して、対象の不正確な調整の場合、直交方向Ｘ線減弱は、従来の方法によればシステム的に過小または過大に算出され、不十分な信号雑音比を有するＸ線投影画像が作成されるかもしくはＣＴ撮影中に不必要に多くのＸ線線量が使用されるという結果をともなう。
【発明の開示】
【発明が解決しようとする課題】
【０００６】
本発明の課題は、ＣＴ撮影の前段階で測定された基準Ｘ線減弱に基づいて対象の直交方向Ｘ線減弱を算出する、特に簡単な、とりわけ時間節約可能な、同時に正確な対象の直交方向Ｘ線減弱の算出方法を提供することにある。この課題の特別な観点は、従来の方法に基づいて評価された直交方向Ｘ線減弱の補正を可能にする方法を提供することにある。更に、本発明の課題はこの方法を実施するための装置を提供することにある。
【課題を解決するための手段】
【０００７】
方法に関する課題は、本発明によれば、請求項１による特徴によって解決される。請求項１によると、対象テーブル上に横たえられた対象の基準投影方向に沿って測定された基準Ｘ線減弱に基づいて直交方向Ｘ線減弱を算出する方法において、この算出の過程で、回転軸線に対する対象の垂直方向の位置決め、特に回転軸線に対する対象の面中心の、垂直方向へのずれが、対象テーブルのテーブル高さの検出によって考慮される。
【０００８】
テーブル高さを検出し、直交方向Ｘ線減弱の算出時もしくは補正時にテーブル高さを考慮することによって、本発明による方法は、検査すべき対象が垂直方向において回転軸線に対して正確に中心に配置されていない場合にも、基準測定だけに基づいて正確な線量計算を可能にする。これによってテーブル高さの正確な調整は不必要である。これは、特でテーブル高さの調整によって一般に対象の軸線方向のあらゆる範囲について同時に中心を合わせることはできないという事実を勘案すれば非常に有利である。
【０００９】
本方法は、とりわけ、従来の方法の枠内において対象が回転軸線に対して垂直方向において中心を合わせて横たえられている前提の下に算出されたのと同様な直交方向Ｘ線減弱の値を補正するのに役立つ。この用途においては、（例えば従来のＣＴから標準的に供給される）算出された直交方向Ｘ線減弱が本方法のための入力量として利用され、そしてテーブル高さを利用して、補正された直交方向Ｘ線減弱が算出される。
【００１０】
本発明の有利な実施態様においては、テーブル高さとして対象テーブルと回転軸線との間に形成された距離が利用される。対象の垂直方向の位置決めはテーブル高さと基準投影方向への対象厚さとから導き出されると望ましい。後者はこの場合に基準Ｘ線減弱から決定される。
【００１１】
この種の従来の方法においても通常行なわれるように、医療用途においては、基準Ｘ線減弱として特に前後方向（ａｐｅｒｉｏｒ−ｐｏｓｔｅｒｉｏｒ）減弱が測定され、直交方向Ｘ線減弱として横方向（ｌａｔｅｒａｌ）減弱が算出される。
【００１２】
特に、直交方向Ｘ線減弱は次の式に従って求められる。
【数２】
2006312047.tif 000003
但し、
Ａlatは算出すべき補正された直交方向Ｘ線減弱、
Ａlat’は対象の中心位置決めの前提の下に算出した直交方向Ｘ線減弱、
ｒfは回転軸線に関するコンピュータ断層撮影装置のＸ線撮影ユニットの焦点軌道半径、
ｈtはテーブル高さの尺度としての回転軸線に対する対象テーブルの距離、
ｄ0＝μ-1ｌｏｇ（Ａap）は基準投影方向Ｐ0への対象厚さ、
μは予め与えられた平均的な減弱係数、
Ａapは測定された基準Ｘ線減弱。
【００１３】
対象の複数の軸線方向位置に対する基準Ｘ線減弱が存在するか、または（コンピュータ断層撮影装置の回転軸線に対して平行方向の）軸線方向座標の関数としての基準Ｘ線減弱が測定される場合、直交方向Ｘ線減弱も相応にこれらの軸線方向位置についてもしくは軸線方向座標の関数として算出される。
【００１４】
装に関する課題は本発明によれば請求項６の特徴および請求項７の特徴によって解決される。上記の方法を実施するために構成された補正モジュールが設けられ、もしくは（特に、自動線量制御装置の枠内において）このような補正モジュールを含むコンピュータ断層撮影装置が設けられる。このような補正モジュールは、特に既存の従来のコンピュータ断層撮影装置に装備するために設けられるとよい。
【発明を実施するための最良の形態】
【００１５】
以下において、本発明の実施例を図面に基づいて説明する。図面において、
図１は測定された基準Ｘ線減弱に基づいて対象の直交方向Ｘ線減弱を自動算出するための補正モジュールを有するコンピュータ断層撮影装置を概略的なブロック図で示し、
図２は図１によるコンピュータ断層撮影装置におけるＸ線撮影ユニットおよび対象テーブルの部分図を示し、
図３は本発明による方法に基づいてテーブル高さ補正を用いて算出されたテスト対象の横方向減弱をテーブル高さ補正を用いずに測定された横方向減弱と対比させテーブル高さに依存したダイアグラムで示す。
【００１６】
全ての図において、互いに対応する部分および量は常に同じ符号を付されている。
【００１７】
図１および図２に概略的に示された医用コンピュータ断層撮影装置１は、Ｘ線撮影ユニット２と、Ｘ線高電圧発生器３と、画像評価ユニット４と、この画像評価ユニット４の後に接続された表示装置５、特にディスプレイと、対象テーブル６と、自動線量制御装置７とを含む。画像評価ユニット４および自動線量制御装置７は、特にソフトウェアモジュールとして構成され、コンピュータ断層撮影装置１の詳しくは図示されていないコンピュータ装置内で実現されている。
【００１８】
Ｘ線撮影ユニット２は（Ｘ線管の形での）Ｘ線放射器８とＸ線検出器９とを有する。Ｘ線放射器８およびＸ線検出器９は図１に概略的に示された回転枠（ガントリとも呼ばれる）１０に取付けられている。従って、Ｘ線放射器８とＸ線検出器９は、回転枠１０のトンネル状の開口１１に関して互いに対向して固定され、回転枠１０の回転によって、共通に（同心軸線とも呼ばれる）回転軸線１２を中心に回転方向Ｘに回転させられる。Ｘ線放射器８から出射して回転軸線１２を通過し、Ｘ線検出器９の中心に入射するＸ線通路が、一般に回転枠１０の位置およびそれに固定されたＸ線撮影ユニット２に依存した投影方向Ｐを規定する。
【００１９】
図１および図２による表示において模範的に垂直に下に向けられた投影方向Ｐは以下において基準投影方向Ｐ0と呼ばれている。基準投影方向Ｐ0と任意の第２の投影方向Ｐとの間に形成された角度は投影角αと呼ばれている（図２参照）。従って、基準投影方向Ｐ0は投影角α＝０°に対応する。
【００２０】
断層撮影検査のために、検査対象１３は対象テーブル６上に配置可能であり、対象テーブル６と一緒に回転枠１０の開口１１の中へ送り込み可能である。対象１３は、この場合には特に、（図１に概略的にハッチングを施された楕円形によって示されている）患者の頭部または胴体部であり、あるいは人体を模擬するテスト対象、例えば水ファントムである。対象１３の高さ調整のために、対象テーブル６は、調整方向Ｙに、回転枠１０およびこれに固定された撮影ユニット２に対してモータ駆動により高さ調整可能である。更に、対象テーブル６は回転軸線１２に対して平行に移動可能である。一般に対象テーブル６上に仰向きに寝かせられた患者に関して、基準投影方向Ｐ0は前後方向投影に対応する。
【００２１】
コンピュータ断層撮影装置１の動作時にＸ線放射器８は、投影方向Ｐに対して少なくともほぼ中心を合わされたＸ線ファンビームＲを発生する。このＸ線ファンビームＲのうち、図１に破線で示されたビーム部分Ｓが対象１３を透過し、対象１３内のＸ線吸収により減弱される。Ｘ線ファンビームＲのこのようにして発生された減弱パターンが、投影方向Ｐにおいて対象１３の背後に配置されているＸ線検出器９によって、（１次元の）Ｘ線投影画像Ｂ（ラジオグラム）として記録され、画像評価ユニット４に導かれる。異なる投影方向Ｐで撮影された多数のＸ線投影画像Ｂから、画像評価ユニット４はＣＴ撮影の過程において対象１３の１つ又は複数の断層のトモグラムＴを算出する。トモグラムＴは、特に３次元ボリューム表示の形でまたは任意の２次元スライス表示として表示装置５に表示可能である。
【００２２】
とりわけ対象１３は一般に回転対称横断面を持たないのでなおさら、対象１３によって平均的に生じさせられたＸ線減弱Ａ（以下においては単に減弱Ａとも呼ぶ。）は投影方向Ｐ、従って投影角αに依存する。
【００２３】
Ｘ線減弱Ａは、一般に、与えられた投影角αにおいて対象１３の存在状態で検出器面積あたりに測定されたＸ線強度とこれに対応する状況の下に対象１３の不在状態で測定されたＸ線強度との比によって与えられる。
【００２４】
Ｘ線線量の節減のために、Ｘ線放射器８から生じたＸ線強度の調整によって、減弱Ａの投影に依存する変動が（少なくとも部分的に）補償される。Ｘ線放射器８の管電流Ｉの大きさがこの管電流Ｉを発生するＸ線高電圧発生器３において相応の制御信号ＳIによって調整されることによって、Ｘ線強度が調整される。
【００２５】
管電流Ｉの調整は自動線量制御装置７の制御モジュール１４によって行われる。制御モジュール１４は投影角αの予め与えられた関数に基づいて電流の大きさＩを決定し、この関数のパラメータとして、前後方向（ａｐｅｒｉｏｒ−ｐｏｓｔｅｒｉｏｒ）減弱Ａapおよび横方向減弱Ａlatが含まれる。前後方向減弱Ａapは基準投影方向Ｐ0に発生する減弱Ａを表す。横方向減弱Ａlatは、これに対して垂直な第２の投影方向Ｐ1（図２）に沿った減弱Ａを表し、投影方向Ｐ1は患者身体に関して横方向に延びる。前後方向減弱Ａapおよび横方向減弱Ａlatは特に軸線方向のテーブル位置から導き出されている軸線方向座標の関数として存在する。それゆえ、前後方向減弱Ａapおよび横方向減弱Ａlatは対象１３の予め与えられた軸線方向部分にわたる減弱経過を再現する。
【００２６】
前後方向減弱Ａapならびに横方向減弱Ａlatの決定は、患者ジオメトリへ自動線量制御装置をマッチングさせるために対象１３の本来のコンピュータ断層撮影に先行する準備ステップにおいて行われる。まず基準投影方向Ｐ0において基準投影画像Ｂ0が撮影され、画像評価ユニット４が基準投影画像Ｂ0に基づいて前後方向減弱Ａapを基準Ｘ線減弱として求め、自動線量制御装置７のマッチングモジュール１５に導く。
【００２７】
マッチングモジュール１５は、従来技術に基づいて、横方向減弱Ａlat’を、対象が回転軸線１２に対して中心を合わせて配置されている前提のもとに、Ｘ線検出器９への対象１３の影投射（図２にビーム横断面ｂp”によって示されている。）から、回転軸線１２の高さにおける推定対象幅すなわちビーム横断面ｂp’を計算することにより算出する。
【００２８】
マッチングモジュール１５は横方向減弱Ａlat’を特に次の式（２）に従って算出する。
【数３】
2006312047.tif 000004
この場合、定数として記憶され経験に基づいて定められた減弱係数μが用いられる。
【００２９】
このようにして算出された横方向減弱Ａlat’は、対象１３が回転軸線１２に対して偏心して配置されているほど、実際に対象１３により生じさせられた横方向減弱と大きく相違する。回転軸線１２に対する対象１３の垂直方向の位置決めの尺度は、特に回転軸線１２と対象１３の横断面の面中心点１６との垂直距離ｈ0によって与えられている。
【００３０】
多かれ少なかれ誤りのある横方向減弱Ａlat’は、本発明による方法の核心をなす次の補正ステップにおいて、対象１３の実際の位置決めを考慮して補正される。
【００３１】
補正ステップは、マッチングモジュール１５および制御モジュール１４にデータフロー技術で接続されている補正モジュール１７によって行なわれる。
【００３２】
補正モジュール１７は補正された横方向減弱Ａlatを先述の式（１）に基づいて算出する。式（１）に含まれる焦点軌道半径ｒfは、コンピュータ断層撮影装置１の設計によって決定され、定数として予め与えられる。対象テーブル６と回転軸線１２との間の垂直距離によって与えられるテーブル高さｈtはマッチングモジュール１５に（詳しくは図示されていない）装置制御要素から与えられる。基準投影方向Ｐ0への対象厚さｄ0は、先に説明したように、前後方向減弱Ａapおよび減弱係数μから導き出される。
【００３３】
補正モジュール１７は補正された横方向減弱Ａlatおよび前後方向減弱Ａapを制御モジュール１４に与える。
【００３４】
上記の補正方法と違って、補正された横方向減弱Ａlatを、前後方向減弱Ａap、ビーム横断面ｂp’およびテーブル高さｈtから直接的に算出することもできる。この場合には式（１）の代わりに補足において挙げてある数学的に等価な式（Ａ４）が使用される。
【００３５】
上記方法の具体的な説明のために、図２において、他のジオメトリパラメータとして、焦点−検出器距離ｄと、基準投影方向Ｐ0に対して垂直方向に測定された対象幅ｂpとが付加的に記入されている。更に、図２から、とりわけ距離ｈ0がテーブル高さｈtによってｈ0＝ｈt−ｄ0／２によって定まることが明らかである。
【００３６】
式（１）の数学的な導き出しについては最後の追記を参照されたい。
【００３７】
図３は、補正された横方向減弱Ａlat（線１８）を補正されていない横方向減弱Ａlat’（線１９）に対比したダイアグラムに基づいて上記方法のテスト結果を示す。両量ＡlatおよびＡlat’はそれぞれテーブル高さｈtに対して取られている。
【００３８】
テストのために、対象１３として３０ｃｍの直径を有する円筒状の水ファントムが利用された。図１に従って対象テーブル１３上に置かれた水ファントムに対しテーブル高さｈtの８つの異なる調整についてそれぞれ、基準投影方向Ｐ0に実施された基準測定から、前後方向減弱Ａapおよび補正されていない横方向減弱Ａlat’が求められた。これから本発明による方法に基づいて式（１）を使用してすなわちテーブル高さｈtを考慮して、補正された横方向減弱Ａlatが算出された。
【００３９】
図３から分かるように、本発明による方法の使用のもとに、異なるテーブル高さｈtに対する横方向減弱Ａlat（線１８）が、実際の関係に対応して、良好な近似で一定として決定され、これに対して補正されていない横方向減弱Ａlat’（線１９）はテーブル高さｈtへの強い依存性を有し、誤差を含んでいる。
【００４０】
＜追記：式（１）の数学的な導き出し方＞
次の式（Ａ１）から出発する。
【数４】
2006312047.tif 000005
これによって、任意の投影角αについて、一般化された対象厚さｄPへの減弱Ａの依存性が決定されている。対象厚さｄPは、一般に投影角αの下で放出されたビームが対象１３の内部を進む最大移動距離を表す。横投影方向Ｐ1（すなわちα＝９０°）については、ｄP（α＝９０°）＝ｂPが当てはまる（図２参照）。従って、式（Ａ１）から横方向減弱Ａlatについては次の式（Ａ２）が生じる。
【数５】
2006312047.tif 000006
ジオメトリ考察（図２参照）からｂPについては次の式（Ａ３）が生じる。
【数６】
2006312047.tif 000007
式（Ａ３）を式（Ａ２）に代入することにより、次の式（Ａ４）が生じる。
【数７】
2006312047.tif 000008
式（Ａ４）を式（２）に代入することによって、式（１）が生じる。
【００４１】
従って、式（Ａ４）もしくは式（１）の右辺の指数における括弧でくくられた部分の表現ｒf-1（ｒf＋ｈt−ｄo／２）が補正であり、これによって式（２）に比べて対象１３の偏心した位置決めすなわち０とは異なる距離ｈ0＝ｈt−ｄo／２が考慮される。
【００４２】
前後方向減弱Ａap（すなわちα＝０°およびｄo＝ｄP（α＝０°））については、式（１）から次の式（Ａ５）が生じる。
【数８】
2006312047.tif 000009
これから、式（Ａ４）に含まれる対象厚さｄoについては次の式（Ａ６）が生じる。
【数９】
2006312047.tif 000010
式（１）に含まれるビーム横断面ｂP’は、次の式（Ａ７）による簡単な近似で、Ｘ線検出器９への対象１３の影投射から算出される。
【数１０】
2006312047.tif 000011
ここではＸ線検出器９は単純化して平らであると仮定された。実際にはｂP’の算出の際に付加的に特にＸ線検出器９の湾曲（曲率）が考慮される。
【００４３】
注釈：ｅｘｐ（・・・・）は指数関数を意味する。
注釈：ｌｏｇ（・・・・）は自然対数を意味する。
【図面の簡単な説明】
【００４４】
【図１】コンピュータ断層撮影装置を概略的に示すブロック図
【図２】図１によるコンピュータ断層撮影装置の部分図
【図３】横方向減弱をテーブル高さに依存して示すダイアグラム
【符号の説明】
【００４５】
１        コンピュータ断層撮影装置
２        Ｘ線撮影ユニット
３        Ｘ線高電圧発生器
４        画像評価ユニット
５        表示装置
６        対象テーブル
７        自動線量制御装置
８        Ｘ線放射器
９        Ｘ線検出器
１０        回転枠
１１        開口
１２        回転軸線
１３        対象
１４        制御モジュール
１５        マッチングモジュール
１６        対象横断面中心点
１７        補正モジュール
１８        線
１９        線
Ａ          Ｘ線減弱
Ａap        基準Ｘ線減弱
Ａlat      補正された直交方向Ｘ線減弱
Ａlat’    補正されていない直交方向Ｘ線減弱
Ｂ          Ｘ線投影画像
Ｂ0        基準Ｘ線投影画像
ｂP        対象幅
ｂP’      回転中心高さのビーム横断面
ｂP”      Ｘ線検出器におけるビーム横断面
ｄ          焦点−検出器距離
ｂP        対象厚さ
ｄ0        基準投影方向の対象厚さ
ｈ0        対象横断面中心の高さ
ｈt        テーブル高さ
Ｉ          管電流
Ｐ          投影方向
Ｐ0        基準投影方向
Ｐ1        横投影方向
Ｒ          Ｘ線ファンビーム
ｒf        焦点軌道半径
Ｓ          ビーム部分
ＳI        制御信号
Ｔ          トモグラム
Ｘ          回転方向
Ｙ          テーブル高さ調整方向
α          投影角
μ          減弱係数
【図１】
2006312047.tif 000013
【図２】
2006312047.tif 000014
【図３】
2006312047.tif 000015